(57)【要約】【課題】  本発明は段ボール等の包装用箱の上面のそれぞれフラップを手動で閉鎖するのみで容易にフラップ相互を係合させて紐掛けやステープル作業を要せず閉鎖状態を保持することを目的とする。【解決手段】  方形包装用箱１の上面において、互に直角方向に折り曲げられる２対の対向フラップ２，２、２’，２’であって、１方の対向フラップ２，２のそれぞれ中央部に折曲線３を共有する舌片４を切込形成し、他方の対向フラップ２’，２’の対接縁２”には、上記舌片４の先端部よりも上記折曲線３側に若干近い位置に該折曲線３と平行な切込み５，５を形成し、上記切込み５の両端に上記折曲線３側に向う短い切込み５’を形成してなり、かつ上記舌片４の折曲線３の幅が上記切込み５，５の幅より大であることを特徴とするノンステープル包装用箱。【選択図】図１
2008120434.tif 000002
【特許請求の範囲】
【請求項１】
方形包装用箱の上面において、互に直角方向に折り曲げられる２対の対向フラップであって、
１方の対向フラップのそれぞれ中央部に折曲線を共有する舌片を切込形成し、
他方の対向フラップの対接縁には、上記舌片の先端部よりも上記折曲線側に若干近い位置に該折曲線と平行な切込みを形成し、
上記切込みの両端に上記折曲線側に向う短い切込みを形成してなり、
かつ上記舌片の折曲線の幅が上記切込みの幅より大であることを特徴とするノンステープル包装用箱。
【請求項２】
上記包装用箱が長方形段ボール箱であって、１方の対向フラップの折曲線が他方の対向フラップの対接縁より短い請求項１記載のノンステープル包装用箱。
【請求項３】
上記方形包装用箱が長方形段ボール箱である請求項１又は２記載のノンステープル包装用箱。
【発明の詳細な説明】
【技術分野】
【０００１】
本発明は段ボール箱等の上面のフラップ閉鎖構造に関するものである。
【背景技術】
【０００２】
従来、段ボール箱などの隣接フラップの下降を折り曲げ可能な舌片によって防止し包装果物や青果物などの損傷を防止するフラップ閉鎖構造が開発されている（例えば特許文献１）。
【０００３】
しかし上記舌片上に支持されるフラップの圧下による下降は該舌片によって阻止され、収容果実を圧下損傷は防止されるが、
上記舌片を形成した対接フラップの開放及び圧下を阻止し、対接フラップの自然開放又は外力圧下を防止し難く、ベルト又はバンド等による紐掛け又はステープル作業を要した。
【０００４】
【特許文献１】特開２０００−３３５５６０号公報
【発明の開示】
【発明が解決しようとする課題】
【０００５】
本発明は段ボール等の包装用箱の上面のそれぞれフラップを手動で閉鎖するのみで容易にフラップ相互を係合させて紐掛けやステープル作業を要せず閉鎖状態を保持することを目的とする。
【課題を解決するための手段】
【０００６】
上記の目的を達成するため本発明は
第１に方形包装用箱の上面において、互に直角方向に折り曲げられる２対の対向フラップであって、１方の対向フラップのそれぞれ中央部に折曲線を共有する舌片を切込形成し、他方の対向フラップの対接縁には、上記舌片の先端部よりも上記折曲線側に若干近い位置に該折曲線と平行な切込みを形成し、上記切込みの両端に上記折曲線側に向う短い切込みを形成してなり、かつ上記舌片の折曲線の幅が上記切込みの幅より大であることを特徴とするノンステープル包装用箱、
第２に上記包装用箱が長方形段ボール箱であって、１方の対向フラップの折曲線が他方の対向フラップの対接縁より短い上記第１発明記載のノンステープル包装用箱、
第３に上記方形包装用箱が長方形段ボール箱である上記第１又は第２発明記載のノンステープル包装用箱、
によって構成される。
【０００７】
従って図１に示すように上記舌片を起立させ、
その状態で他方の対向フラップを対向方向に閉鎖し、対接縁を接して箱の上面を閉鎖状態となす（図２にその状態を示す）。
【０００８】
この状態においては対接縁の両側に舌片の折曲線と平行でその両端が該折曲線側に屈曲した両端屈曲切欠が形成されている。
【０００９】
この状態で起立舌片を図２矢印の方向に対接縁に向って手で押し込むと、該舌片の先端部が対接縁を押開いて対接縁の下方に押し込められ、
かつ対接縁の隅角部が上記舌片の基部に上から押えられるから対接縁を接するフラップは開くことができないし、上記舌片の先端も上記切欠きの下に潜入して対接縁によって押えられ段ボール箱の２対のフラップは互に開くことができない状態となる。
【発明の効果】
【００１０】
本発明は上述のように構成したので、段ボール箱の２対の対向フラップ相互に係合して開くことができず、
そのためガムテープや紐掛け又はステープル作業を要せず手動で容易に閉塞し得る効果がある。
【発明を実施するための最良の形態】
【００１１】
長方形段ボール箱による方形包装用箱１では互に直角方向に折曲げられる２対の対向フラップ２，２及び２’，２’が形成される。
【００１２】
１方の対向フラップ２，２の折曲線３，３のそれぞれ中央部には該折曲線３，３を共有する舌片４，４をそれぞれ切込形成する。
【００１３】
上記舌片４，４は何れも上記折曲線３，３側の幅が広く、先端部の幅が狭い対称形舌片４であってその両側縁４’，４’は先端部に向って次第に互に近接する傾斜する斜線によって形成される。
【００１４】
他方の対向フラップ２’，２’の対接縁２”，２”には上記舌片４，４の先端部よりも上記折曲線３，３側に若干近い位置に該折曲線３，３と平行な切込み５，５を上記対接縁２”，２”と直角にかつ該対接縁２”，２”の両側に亘って対象に形成する。
【００１５】
そして上記切込み５，５の両端にはそれぞれの上記折曲線３，３側に向う短い切込み５’，５’を形成する。
【００１６】
上記舌片４のそれぞれ折曲線３の幅は上記切込み５，５の幅より大であり、上記舌片４の先端部を上記短い切込み５’，５’間から上記切込み５，５内に挿入可能に形成する。
【００１７】
勿論、上記段ボール箱１は長方形であるため上記折曲線３の長さは上記対接縁２”の長さよりも短い。
【００１８】
上記段ボール箱１は上面及び下面にそれぞれ２対の対向フラップ２，２’を有し、上下面何れにおいても上記舌片４，４及び切込み５，５及び短い切込み５’，５’を形成することができる。尚図中４”又は５”は折曲線３及び上記切込み５’の基部切込みであって上記切込基部の折込精度を向上する。
【産業上の利用可能性】
【００１９】
本発明では隣接フラップ２，２’が相互に一体的に係合するので段ボール箱１の上面に定量物が載置されても係合フラップ２，２’が浸入するおそれもなく果実等の収容物を損傷するおそれが少ない。
【図面の簡単な説明】
【００２０】
【図１】本発明の包装用箱のフラップの構造を示す斜視図である。
【図２】本発明の包装用箱のフラップの構造を示す斜視図である。
【図３】フラップ閉塞状態の平面図である。
【図４】図３の一部拡大平面図である。
【図５】図１の展開図である。
【図６】図５の一部拡大展開図である。
【符号の説明】
【００２１】
１          方形包装用箱
２，２’    対向フラップ
２”        対接縁
３          折曲線
４          舌片
【図１】
2008120434.tif 000003
【図２】
2008120434.tif 000004
【図３】
2008120434.tif 000005
【図４】
2008120434.tif 000006
【図５】
2008120434.tif 000007
【図６】
2008120434.tif 000008